Podtech/llm-jp-corpus-v4-ja_patent huggingface dataset:
(57)【要約】      （修正有）【課題】メビウスの環のふしぎさ面白さを取り入れたドーナツリングを提供する。【解決手段】ドーナツリングを作る平帯１に、つながり部分３を数箇所残す切り込み線２を入れ、その平帯をメビウスの環を作る方法でねじり、右端５と左端４を接続させる。【選択図】図２
2013059307.tif 000002
【特許請求の範囲】
【請求項１】
図１に示すよう、メビウスの環同様を形成する平帯（１）の中央に、数箇所のつながり部分（３）を残し、切り込み線を一巡して入れる。それによって、指先でつながり部分（３）のある箇所全てを、Ｆ、Ｇ−４方向に引くことによって、つながり部分が切り離され、結果、二つのリングが出来、その双方のリングがつながり合って出来るメビウスのリング食品。
【発明の詳細な説明】
【技術分野】
【０００１】  本発明は、ドーナツの加工方法に関するものである。
【発明の概要】
【発明が解決しようとする課題】
【０００２】  本発明は、ドイツの数学者Ａ・Ｆ・メビウスの発見した、通称メビウスの環（帯）のふしぎさ面白さを、ドーナツにに取り入れようとするものである。
【課題を解決するための手段】
【０００３】  図２に示すよう、幅１．７センチ、長さ２２センチ、厚さ８ミリほどの、一本のドーナツを作るべき平帯（１）中央に数箇所のつながり部分（３）を残し、右端（５）から左端（４）の間に切り込み線（２）を入れ、その平帯（１）の右端（５）を矢印（Ｅ）方向に引き、その端（５）を左端（４）につなげる。
【発明の効果】
【０００４】１．上記加工方法で作られたドーナツリングは、食する前、指先で（Ｆ）（Ｇ）で示す矢印方向に両サイドから引き、数箇所にあるつながり部分を全て切り離したなら、結果、図３に示すよう、一本の平帯であったものが、容易く二本のリングとなって分離され、メビウスの環同様に、その双方がつながり合って出来るもので、ふしぎなイルージョンマジック？を見るような面白さを味わうことが出来るものである。
２．また、メビウスに関する食品としては、唯一、登録実用新案第３００３８２５号があるが、それは１と２の二本の帯からなるもので、その帯状には、本発明の特長とするつながり部分を数箇所のこした切れ込みはなく、本発明とは明らかに異なるものである。
【図面の簡単な説明】
【０００５】
【図１】は、つながり部分を数箇所のこし、切り込み線を入れた、メビウスの環を取り入れた本発明の斜視図。
【図２】は、本発明の特長であるつながり部分を数箇所残し、切り込み線を入れた平帯の斜視図。
【図３】は、本発明の効果を示す斜視図。
【符号の説明】
【０００６】１．平帯
２．切り込み線
３．つながり部分
４．左端
５．右端
Ａ．Ｂ．Ｃ．Ｄ．の記号は、平帯端の隅で、右端と左端の接続を分かり易くするものである。
Ｅ．（図２のみ記載）は、平帯を一回転（３６０度回転）ねじらずして、右端を左端に接合させるための曲げ方向を示す。
Ｆ．Ｇ．は、つながり部分を切り離すための引き方向を示す。
【図１】
2013059307.tif 000003
【図２】
2013059307.tif 000004
【図３】
2013059307.tif 000005
(57)【要約】      （修正有）【課題】普及率の高いテレビもしくはテレビ接続機器を用いることで、より多くの世帯が仏壇を容易に保有することができ、仏壇に手を合わせる習慣を確立すること。【解決手段】仏壇ソフトウェアを普及率の高いテレビもしくはテレビ接続機器に内蔵することで、安価に、設置場所を気にすることなく容易に仏壇を保有することができる。宗派により仏壇の構成を設定することができ、複数の宗派の仏壇を切り替えて表示することができるため、夫婦両者の先祖を供養することができる。設定した時間に仏壇ソフトウェアが起動しリンの音や読経の音源が自動再生されることで、家族に対して仏壇に手を合わせることの意識付け、習慣付けをすることができる。【選択図】図１
2013059369.tif 000002
【特許請求の範囲】
【請求項１】
仏壇ソフトウェアをテレビもしくはテレビ接続機器に内蔵することにより、テレビ画面に仏壇を表示することを特徴とする仏壇の代替方法である。
【請求項２】
テレビに表示する画面は、宗派により仏壇、仏具、読経音源の構成等を容易にかつ任意に設定することができ、複数の宗派の仏壇を設定し切り替えて表示することを特徴とする請求項１記載の仏壇ソフトウェアを用いた仏壇の代替方法である。
【発明の詳細な説明】
【技術分野】
【０００１】
本発明は、仏壇ソフトウェアをテレビもしくはテレビ接続機器に内蔵して、テレビ画面に仏壇を表示することを特徴とする仏壇の代替方法である。
【背景技術】
【０００２】
元来、日本の家屋には仏間があり仏壇が設置され、ご本尊をまつり先祖を供養することで親族の心のよりどころとなっていた。一般に家とともに仏壇を継承することが多かったが、サラリーマン世帯は郷里に定住することが困難となり、また仏間、和室のない集合住宅が増加したこと等から、継承者の逝去後に家とともに仏壇を処分する世帯が増えている。特に核家族世帯や都市部での仏壇保有率は著しく低下している。
【０００３】
また、仏壇は高価であるがゆえに、継承する者以外の兄弟姉妹が保有することは困難である。さらに、異なる二つの宗派の仏壇を継承することは、仏間がある家屋であっても困難である。この様な事情により、仏壇の前で手を合わせる習慣は減少しており、よりどころを失い、先祖を供養する機会をも失ってしまった状況は深刻な問題である。
【先行技術文献】
【特許文献】
【０００４】
【特許文献１】特開平９−１４９８４８号公報
【特許文献２】特開２００１−１９０３９５号公報
【特許文献３】特開２００２−１２３６２８号公報
【発明の概要】
【発明が解決しようとする課題】
【０００５】
以上の技術によれば、専用の記録媒体や再生装置、パソコンが必要である。専用の記録媒体や再生装置を接続するテレビの入力端子の数には制限があり、設置するスペースも必要である（特許文献１、２参照）。パソコンの普及率は高くなっているものの、テレビの普及率には劣っている（特許文献２参照）。またパソコンを起動しインターネットを用いて管理サイトに接続する必要があるが、一般にパソコンを常時起動している世帯は少なく、その都度パソコンを起動しなくてはならないという問題がある（特許文献３参照）。
そこで、本発明では、普及率の高いテレビを用いることで、より多くの世帯が仏壇を容易に保有することができ、仏壇に手を合わせる習慣が確立することを課題とする。
【課題を解決するための手段】
【０００６】
以上の課題を解決するため、第一発明は仏壇ソフトウェアをテレビもしくはテレビ接続機器に内蔵することにより、テレビ画面に仏壇を表示することを特徴とする仏壇の代替方法である。
また、第二発明は、テレビに表示する画面は、宗派により仏壇、仏具、読経音源の構成等を容易にかつ任意に設定することができ、複数の宗派の仏壇を設定し切り替えて表示することを特徴とする仏壇ソフトウェアを用いた仏壇の代替方法である。
本願のテレビ接続機器とは、ＨＤＤレコーダー、ゲーム機である。
本願のＨＤＤレコーダーとは、ハードディスクビデオレコーダーである。
【発明の効果】
【０００７】
この発明は普及率の高いテレビもしくはテレビ接続機器を用いることで、安価に、設置場所を気にすることなく、仏壇の継承者以外の家族でも容易に仏壇を保有することができ、仏壇に手を合わせる習慣が確立するという効果がある。また、複数の宗派の仏壇を切り替えて表示することができ、夫婦両者の先祖を供養することもできる。またテレビの予約機能等を用いて、設定した時間に仏壇ソフトウェアが起動しリンの音や読経の音源が自動再生されることで、家族が仏壇に手を合わせることを知り、習慣付けすることができる。
本願のテレビ接続機器とは、ＨＤＤレコーダー、ゲーム機である。
【図面の簡単な説明】
【０００８】
【図１】この発明の実施形態を示す正面図である。
【図２】テレビ接続機器を用いた実施形態を示すブロック図である。
【図３】インターネットに接続したテレビもしくはテレビ接続機器を用いた実施形態を示すブロック図である。
【発明を実施するための形態】
【０００９】
この発明の実施形態を図１、図２および図３にもとづいて説明する。
【実施例】
【００１０】
図１に示すように、テレビ１に表示される仏壇２の構成は、仏壇２、ご本尊４、掛軸５、位牌８、遺影３、吊燈籠６、瓔珞７、常花９を基本とし、仏具等は宗派により選択、追加することができる。テレビの前に経机等を置き、その上に三具足（香炉、花立、燭台）、リン、線香差、仏飯器等を置いて使用することで、単にテレビ１に向かい手を合わせるだけでなくご本尊４をまつり先祖を供養する意識を高めることができる。
【００１１】
本発明を実施するためには、仏壇ソフトウェアを内蔵したテレビ１もしくはテレビ接続機器が必要である。仏壇ソフトウェアがテレビ１に内蔵されていない場合は、図２に示すように仏壇ソフトウェアを内蔵したテレビ接続機器を介して実施することができる。
本願のテレビ接続機器とは、ＨＤＤレコーダー１０、ゲーム機１１である。
本願のＨＤＤレコーダー１０とは、ハードディスクビデオレコーダーである。    
【００１２】
仏壇ソフトウェアがテレビ１、テレビ接続機器のすべてに内蔵されていない場合でも、図３に示すようにブロードバンドルーター１２等を用いて仏壇ソフトウェアをインターネットを通してダウンロードし内蔵することができる。
【００１３】
仏壇ソフトウェアが内蔵されたテレビ１もしくはテレビ接続機器のリモコン等を用いて設定、実施することができる。
【符号の説明】
【００１４】
１  テレビ
２  仏壇
３  遺影
４  ご本尊
５  掛軸
６  吊燈籠
７  瓔珞
８  位牌
９  常花
１０  ＨＤＤレコーダー
１１  ゲーム機
１２  ブロードバンドルーター
１３  ＬＡＮケーブル
【図１】
2013059369.tif 000003
【図２】
2013059369.tif 000004
【図３】
2013059369.tif 000005
(57)【要約】      （修正有）【課題】焼いたシフォンケーキを冷まそうとすると、空き瓶などを用意しなければならなく、場所をとり空き瓶に立てるのは不安定で倒れやすく、非常に不便だった。焼いたシフォンケーキを逆さにして吊るして冷ます事が出来る為のシフォンケーキハンガーを提供する。【解決手段】吊るし棒１の頭に穴２を開け、Ｓ字フック７などで掛けれる様にする。吊るした型がストンと落ちない様に、吊るし棒１の先は型の中央の筒よりも大きめのストッパー３を固定し設ける事を特徴とするシフォンケーキハンガー。【選択図】図３
2013059598.tif 000002
【特許請求の範囲】
【請求項１】
吊るし棒の一端にフックが掛けれる穴を設け、吊るし棒部分の他端には型の中央に設けられた筒の型より大型のストッパーを固定した事を特徴とするシフォンケーキハンガー。
【発明の詳細な説明】
【技術分野】
【０００１】本発明は、焼いたシフォンケーキを冷ます時のシフォンケーキハンガーに関するものである。
【背景技術】
【０００２】  従来、焼いたシフォンケーキを冷ます時には、型の中央の筒部分を空き瓶に型ごと逆さに刺して冷ますか型を逆さにし、テーブルに筒部分を立てて逆さに置いて冷ましていた。
【発明の概要】
【発明が解決しようとする課題】
【０００３】  焼いたシフォンケーキを逆さに冷まそうとすると、空き瓶などを用意しなければならない。また場所もとり、空き瓶に立てるのは不安定で倒れやすく、非常に不便だった。
本発明は、以上の問題点を解決するためになされたものである。
【課題を解決するための手段】
【０００４】  吊るし棒の一端にフックが掛けれる穴を設け、吊るし棒部分の他端には型の中央に設けられた筒の型より大型のストッパーを固定した事を特徴とするシフォンケーキハンガー。
吊るし棒の一端には穴が設けられており、Ｓ字フックなどで引っ掛けられる。逆さにした型の下から型の筒に、棒の穴部分を上にして通して使用。
吊るし棒の他端は吊るした型がストンと落ちない様に、型の中央の筒部分よりも大きめのストッパーを設ける。
以上の構成によりなるシフォンケーキハンガー。
【発明の効果】
【０００５】  従来空き瓶やテーブルに逆さに冷ましていたシフォンケーキを、本発明により吊るして冷ます事を可能にし、ハンガー効果により複数のケーキを吊るして冷ます事が出来るので便利である。
【図面の簡単な説明】
【０００６】
【図１】本発明の斜視図
【図２】焼きあがったシフォンケーキが型に入った状態を示す斜視図
【図３】本発明にシフォンケーキ型をセットした時の使用状態を示す斜視図
【発明を実施するための形態】
【０００７】以下、本発明の実施の形態を説明する。
（イ）吊るし棒（１）の頭の部分に穴（２）を設ける。
（ロ）吊るし棒（１）の先の部分に固定したストッパー（３）を設ける。
本発明は以上のような構造である。
本発明を使用する時は、焼き上がったシフォンケーキ（６）を型（４）ごと逆さに持ち、吊るし棒（１）の穴（２）を上向きに持ち、逆さにした型（４）の中央の筒（５）に下から上へ向かって差し込み、ストッッパー（３）の所まで型（４）を下ろす。
穴（２）部分は  Ｓ字フック（７）が掛かるので、吊るす事が出来る。
ストッパー（３）は吊るし棒（１）に固定されている為、外れない。
ストッパー（３）は中央の筒（５）より大きい為、型（４）が止まり、落ちる事がない。
【符号の説明】
【０００８】１  吊るし棒、２  穴、３  ストッパー、４  型、５  筒、６  焼き上がったシフォンケーキ、７  Ｓ字フック
【図１】
2013059598.tif 000003
【図２】
2013059598.tif 000004
【図３】
2013059598.tif 000005
(57)【要約】      （修正有）【課題】丸首の襟がある衣類にハンガーを通す時、襟首部分を広げることなく、またその為に力を入れてハンガーを折り畳んだりしなくとも良い衣類用ハンガーを提供する。【解決手段】硬質プラスティック材などの材料により、吊り下げ部材が上部に連結されたハンガー本体に、衣類の襟首部分を挿通できるようにハンガーの腕部の一部が開口するように、腕部に開閉を可能にするロック部４，５とハンガー下部側に開閉のための支点７を設けることにより、ハンガーの内側全体を利用できる仕組みを有する。また、針金のような金属等の材料を用いる場合は、ハンガーの上部を開口した状態に形態を記憶させた金属を用いれば、腕部の開閉を可能にするロック部を設けるだけで開閉に必要なハンガー下部側の支点を設ける必要がない仕組みのハンガーとなる。【選択図】図３
2013059597.tif 000002
【特許請求の範囲】
【請求項１】
開閉可能なショルダー部（３）を有するハンガー本体に、開閉のための回動部（７）と開閉をロックすると解除するためのロック機構（４）を設け、ハンガーの上部の開口部（６）から衣類の襟首を通すことが出来るようにした事を特徴とする衣類用ハンガー。
【発明の詳細な説明】
【技術分野】
【０００１】  本発明はＴシャツやトレーナーなど、丸首等の襟回りの寸法が比較的小さい衣類をハンガーに着脱する時に、着脱が容易に行えるようにしたハンガーに関するものである。
【技術背景】
【０００２】  従来のハンガーは上記のような衣類に対して着脱する場合には、ハンガー本体を襟首に通す時は衣類の襟首部分を広げなければならいため、着脱の際に衣類の襟首部分が伸びてしまい衣類を傷めることになる。
【先行技術文献】
【０００３】
【特許文献】
【特許文献】  実開平６−５２６６１号公報  特表平１１−５０９７００号公報  実開平６−５２６６１号公報
【発明の概要】
【発明が解決しようとする課題】
【０００４】  本発明は従来のハンガーより大きなハンガーであっても、衣類の襟首部分を広げることなく、またその為に力を入れてハンガーを折り畳んだりしなくとも良いような衣類用ハンガーを提供することを目的とする。
【課題を解決すための手段】
【０００５】  本発明は硬質プラスティック材などの材料により、吊り下げ部材が上部に連結されたハンガー本体に、衣類の襟首部分を通す事ができるようハンガーの腕部の一部が開口し、腕部に開閉を可能にするロック部とハンガー下部側に開閉のための支点を設ける事により、ハンガーの内側全体を利用できる仕組みを有することを特徴としている。
【０００６】  また、針金のような金属等の材料を用いた本発明に於いては、ハンガーの上部を開口した状態に形態を記憶させた金属を用いれば、腕部の開閉を可能にするロック部を設けるだけで開閉に必要なハンガー下部側の支点を設ける必要がない仕組みのハンガーを提供できる。
【発明の効果】
【０００７】  従来のハンガーは衣類にハンガーを通す時、襟首部分を無理に広げて衣類に通すため、衣類の襟首部分が伸びてしまう原因になり、早期に衣類を傷めることになる。またハンガー上部に掌握部を設け（実開平６−５２６６１号公報）、これを握ることによりハンガー本体を縮めて衣類の襟首に通す方法のハンガーがあるが、これを行おうとすると大きな力を必要とするため、力のないお年寄りや、小さい子供には難しい作業となり指や手を挟むなどして怪我の原因にもなる。
【０００８】  またハンガーの腕部を折り畳む（実開平６−５２６６１号公報）タイプの物もあるが、これはハンガーの左右両方の腕部を折り畳んで使用するために操作性に於いて手間と時間がかかるが、本発明は一か所のロックの解除、または実行をワンタッチで行うことが出来るため非常に操作性が良く手間をかけずに使用できる。
【０００９】  本発明はハンガー上部の開口側腕部（３）に開口部（１２）を設け、ハンガー内部（６）に衣類の襟首部分（１８）を通すことにより、衣類の襟首部分（１８）を無理に広げることなく衣類にハンガーを通すことが出来るため衣類の襟首が伸びてしまうことがなく、衣類の破損を防ぐことが出来る。また上記ハンガーの上部に掌握部を設けたハンガーのように、大きな力を必要とせず、ワンタッチでハンガーの開閉を行う事が出来るので、お年寄りや子供など力の弱い方でも容易に使用することが出来る。
【００１０】  衣類をハンガーにかける際、上記のようなハンガーを衣類の襟首から入れる従来のハンガーではハンガー腕部の長さを長くすることが出来ないため、衣類の袖が十分広がらず脇の部分が衣類の胴の部分と重なってしまい十分に干す事が出来なかった。本発明のハンガーに於いては、衣類の襟首部（１８）がハンガーの内側（６）に入るのでハンガーの腕部（２）、（３）が長さの制約を受けないため従来の上記ハンガーより腕部の長さを長く設定可能である。そのため衣類を干した時に衣類の袖が真っ直ぐ広がった状態で干せるので、型崩れを防ぎ曇りの天気であっても脇の部分も早期に乾かす事が可能である。
【図面の簡単な説明】
【００１１】
【図１】正面図
【図２】開口時正面図
【図３】本発明斜視図
【図４】ワイヤーハンガー開口時の斜視図
【図５】本発明の実施図
【図６】本発明の実施図
【発明を実施するための形態】
【００１２】（イ）ハンガー上部に吊り下げ機構（２１）を設ける。
（ロ）ハンガーの腕部にロック機構（４）、（５）を設ける。
（ハ）ハンガー下側隅角部（１１）近辺に本発明の実施時、ハンガーが開口できるように回動部（７）を設ける。
（ニ）回動部（７）の周りに本発明を実施した時、妨げにならないように欠部（８）、（９）を設ける。
本発明は以上のような構造である。
本発明を使用する時は、ロック機構（４）を解除してハンガー腕部（３）を開口させ、まず開口側腕部隅角部（１０）をＴシャツ等の衣類の襟首部分（１８）へ通し、そのまま開口側腕部（１０）は衣類の袖の部分（１９）に通す。
【００１３】  衣類の襟首はハンガー開口部（１２）からハンガーの内側（６）に入り、開口側腕部（３）と反対側のハンガー腕部（２）も衣類の中に完全に入ったらハンガー腕部（２）を上記とは反対側衣類の袖（２０）に通す。
【００１４】  ハンガーの左右両腕部（３）、（２）が衣類の袖に入ったら本発明のハンガー開口部（１２）を閉じロックして吊り下げ部材（２１）により物干し竿などに掛ける。
【符号説明】
【００１５】  （１）本発明本体
（２）腕部
（３）開口側腕部
（４）ロック機構外
（５）ロック機構内
（６）ハンガー内側
（７）回動部
（８）切れ込み内側
（９）切れ込み外側
（１０）開口側腕部隅角部
（１１）非開口側腕部隅角部
（１２）開口部
（１３）ロック機構外の凸部
（１４）ロック機構内の凹部
（１５）針金タイプハンガーロック機構外の輪部
（１６）針金タイプハンガーロック機構内の凸部
（１７）衣類
（１８）襟首部
（１９）衣類袖
（２０）衣類袖
（２１）吊り下げ部材
【図１】
2013059597.tif 000003
【図２】
2013059597.tif 000004
【図３】
2013059597.tif 000005
【図４】
2013059597.tif 000006
【図５】
2013059597.tif 000007
【図６】
2013059597.tif 000008
(57)【要約】【課題】  トイレ・着替え用などに利用できる身隠しカーテンを提供する。【解決手段】  半円形の台座の両端に、本体の支柱枠と扉部分の枠を蝶番で組み合わせて立設する。本体支柱は、支え柱を蝶番を付けて補強、蝶ナットで台座の縁溝枠にそれぞれ固定する。扉側の枠には、適当な高さに腕を乗せる肘乗せ棚と足載せ台を設けた。本体支柱と扉枠支柱の上部・下部にカーテンレールの差込穴を開け、レールを弓なりになるように差込穴に挿入する。扉の開閉は両支柱の頂点に箱型の蓋を被せ鍵代わりとし、台座の上に折畳み式の便座などを置いて使用するのを特徴とするトイレ用身隠しカーテンである。【選択図】図１
2013059599.tif 000002
【特許請求の範囲】
【請求項１】
縁を付けた半円状になる台座板２枚を、蝶番で連結し１枚の台座とし、両端に台座本体に固定する肩丈ほどの支柱と蝶番を取り付けた支え柱を、台座の縁溝枠に入れ込み、支え柱を溝枠に三角状にセットし、支柱と支え柱を蝶ナットで溝枠に固定、扉になる支柱枠は、本体支柱の片側の背丈に合わせて蝶番で組み合わせ、扉側の支柱枠には適当な高さに、腕の肘乗せ棚を付け、下部に足載せ台を設け、台座本体と扉部分の支柱には、上部・下部の両端に、カーテンレール保持穴を開け、長めのカーテンレールの両端を、それぞれ弓なりになるように支柱の穴に差し込み、カーテンは着脱自在、開閉は支柱の頂点に箱型の蓋を被せて利用、台座板に便座を置いて使用するのを特徴とするトイレ用身隠しカーテン。
【発明の詳細な説明】
【技術分野】
【０００１】  室内トイレカーテンに関するものである。
【背景技術】
【０００２】  トイレに関して、固定トイレ以外の場所での便座の使用は、他人の視線が非常に気になるものである。
かーテンを利用る方法として、支柱にアルミパイプを使用し吸盤で固定する（例えば特許文献１）方法やキャスターを付けた移動式カーテンルーム（例えば特許文献２）などが提供されている。
【先行技術文献】
【特許文献】
【０００３】
【特許文献１】  実公平０７−００３４５８
【特許文献２】  実公平６−８２３０５
【発明の概要】
【発明が解決しようとする課題】
【０００４】  組み立ての方法などにより、簡易性、安定性や移動性にそれぞれ難があり、本来カーテンの中は、寛ぎの空間であり、安らぎの場所である。
この発明は、これらの問題点を解決するためになされたものである。
【課題を解決するための手段】
【０００５】  縁を付けた半円状になる台座版２枚を、蝶番で連結し１枚の台座とし、両端に台座本体に固定する肩丈ほどの支柱と蝶番を取り付けた支え柱を、台座の縁溝枠に入れ込み、支え柱を溝枠に三角状にセットし、支柱と支え柱を蝶ナットで溝枠に固定、扉になる支柱枠は、本体支柱の片側の背丈に合わせて蝶番で組み合わせ、扉側の支柱枠には適当な高さに、腕の肘乗せ棚を付け、下部に足載せ台を設け、台座本体と扉部分の支柱には、上部・下部の両端に、カーテンレール保持穴を開け、長めのカーテンレールの両端を、それぞれ弓なりになるように支柱の穴に差込み、カーテンは着脱自在、開閉は、両支柱の頂点に箱型の蓋を被せて利用、台座版に便座を置いて使用するのを特徴とするトイレ用身隠しカーテンである。
【発明の効果】
【０００６】  ポータブル便座など使用するとき、人の出入りが少ない場所ても、落ち着いて用を足し難いものである。
他人の眼に直接、曝されない身体を隠せるカーテンがあれば、大変安らいだ気持ちで用が足せる。
特に、今回の東日本大震災では、避難先の体育館などで、不自由な避難生活を強いられている被災者は、他人の目を気にせずに，のびのびと着替えがしたい。
一寸でも周りを気にしなくてすむ個室の中で、一息つきたいという切実な希望がいっぱい出ていた。この発明は、災害対策用の備蓄用品の一つとして、利用出来る簡易組み立てカーテンである。
【図面の簡単な説明】
【０００７】
【図１】  本発明の斜視図
【図２】  本発明の台座部の平面図
【図３】  本発明の台座と支柱組み立て部の説明図
【発明を実施するための最良の形態】
【０００８】  縁１を付けた半円状になる台座板２二枚を，２個の蝶番３で連結し折り畳める一枚の台座板２とし、中央部に持ち手用の穴４を開け、両端に台座本体に固定する肩丈ほどの支柱５と蝶番３を付けた支え柱６を、台座の縁溝枠７入れ込み、支え柱６を溝枠に三角状にセットする。支柱と支え柱を蝶ナット８でそれぞれ溝枠７に固定する。扉９になる支柱枠は、本体支柱の片側の背丈に合わせて蝶番３で組み合わせる。扉側９の支柱枠には適当な高さに、腕の肘乗せ棚１０を付け、下部に足載せ台１１を設け、台座本体２と扉部分９の支柱には上部・下部の両端にカーテンレール保持穴１２を開け、長めのカーテンレール１３の両端を、それぞれ弓なりになるように支柱の穴１２に差込み、カーテン１４は着脱自在である。扉の開閉は支柱の頂点に箱型の蓋１５を被せて利用、台座板２に便座を置いて使用するのを特徴とするトイレ・着替えなど用身隠しカーテンである。
【符号の説明】
【０００９】１          縁
２          台座板
３          蝶番
４          持ち手
５          支柱
６          支え柱
７          縁溝枠
８          蝶ナット
９          扉側
１０        肘乗せ棚
１１        足載せ
１２        カーテンレール保持穴
１３        カーテンレール
１４        カーテン
１５        蓋
【図１】
2013059599.tif 000003
【図２】
2013059599.tif 000004
【図３】
2013059599.tif 000005
(57)【要約】      （修正有）【課題】時間をかけず、気軽にカールを髪にかけることを指カールで実現できる布を提供する。【解決手段】指カール布はネット状または伸縮性のある布材、その他全ての布材を用い、その指カール布には多くの指孔を設け、頭部形状のキャップあるいはバンダナ形状に形成して頭部にかぶせて使用する。【選択図】図１
2013059596.tif 000002
【特許請求の範囲】
【請求項１】
ネット状または伸縮性のある布材、その他全ての布材で製作でき、その布材を切り込んで指カールするための指孔を全体に設けてある頭部の形状に製作されたキャップや頭部にかぶるバンダナタイプの布。
【発明の詳細な説明】
【技術分野】
【０００１】  本発明は、指で髪を簡易的にカールすることができる指カール布に関する。
【背景技術】
【０００２】  従来の髪をカールする方法はカールカラーを髪に巻きつけたり、アイロンで髪に熱を加えたりする方法はあるが、指で髪を簡易的にカールする方法は確立されていない。【０００３】  従来の髪をカールする方法では、時間や手間がかかり経済的ではない。
【先行技術文献】
【特許文献】
【特許文献１】  特開平９−７０３１２  パーマネント・ウェーブ処理方法及びパーマネント・ウェーブ処理装置
【発明の概要】
【発明が解決しようとする課題】
【０００４】  従来の髪をカールする方法はきちんとした髪のカールはできるが、費用や時間がかかり、経済的ではない。
本発明は、きちんとした髪のカールではないが、簡易的に、時間をかけず、経済的に、気軽にちょっとしたカールを髪にかけることを目的とするものである。
朝、髪の寝癖を整髪するのに時間がかかり面倒な時があります。なんとか短時間で整髪したいものです。
そんな時、髪にカールがかかっていれば、多少の髪の寝癖は気にならないし、かえって整髪し易いです。
また、気分的にちょっと髪にカールをかけたい、多少短い髪でもちょっとカールさせておしゃれしたい時があります。
そんな時、本発明の指カール布があれば、バンダナ形式に頭部にかぶり、手軽に自由にその人の髪質なりのカールを髪にかけることが可能です。
比較的短い髪でも指に絡みつく長さの髪であればカールをかけることが可能です。
いつでもどこでも簡単に簡易的に髪の指カールのおしゃれができます。
お手拭き代わりに手軽に持ち歩いていた布で指カールできるなんてなんと素敵なことでしょう。
【課題を解決するための手段】
【０００５】  本発明は上記目的を達成するために考案された指で髪を簡易的にカールさせることができる布である。
指カール布はネット状または伸縮性のある布材、その他全ての布材で頭部の形状のキャップタイプに製作したり、バンダナタイプに製作して頭部にかぶります。
指カール布には指で髪をカールするための指孔を布材を切り込みキャップや布全体に設けます。
布材を切り込んだ箇所は解れないよう縫製処理をします。
髪をカールする時は指カール布をキャップ形式やバンダナ形式で頭部にかぶり、カールさせたい箇所の指孔に指を入れ、髪を指に絡みつけ指カールをします。
キャップ状、バンダナ状の布が髪を押さえるため、指でカールした髪は時間と共にその髪質なりにカール状に癖がついてきます。
ネット状の布を使用すれば、通気性が良く長時間の使用でも蒸れにくいです。
ネット状の布を使用した場合、ドライヤーを併用すればより髪のカールに効果があります。
指カール布は布材なので、自由に変形できて、しかもコンパクトであり携帯に便利です。
いつでもどこでもワイルドに髪に指カールを掛けることができます。
比較的短い髪でも指に絡みつく長さの髪ならカールが可能です。
また、カールした髪を整髪し、整髪料で固めれば髪をよりカール状に維持できます。
他に、先に整髪料を髪につけ、その後に指カール布をかぶり髪にカールをかければ、比較的しっかり髪にカールをかけることが可能です。
【発明の効果】
【０００６】  上述したように本発明の指カール布は、簡単に、いつでも、安価に、比較的短い髪でも簡易的に髪にカールをかけることができます。
お手拭き代わりに手軽に持ち歩いていた布で指カールできるので、とても便利な布です。
【図面の簡単な説明】
【０００７】
【図１】  指カール布を示した側面図
【図２】  指カール布を示した平面図
【発明を実施するための形態】
【０００８】  以下、本発明の実施の形態を図１〜図２に基づいて説明する。
図１において１は指カール布本体でネット状または伸縮性のある布材、その他全ての布材で頭部のキャップ形状やバンダナ形状に製作されている。
図１において２は指孔で布全体に５ｃｍ程度の間隔を設けて、布材を切り込んで開けている。
この切り込んだ指孔に指を入れて髪をカールする。
図２において１は指カール布本体でネット状または伸縮性のある布材、その他全ての布材で頭部のキャップ形状やバンダナ形状に製作されている。
図２において２は指孔で布全体に５ｃｍ程度の間隔を設けて、布材を切り込んで開けている。
この切り込んだ指孔に指を入れて髪をカールする。
【産業上の利用可能性】
【０００９】  お手拭として持ち歩く布が簡易的に髪にカールをかけれる布になるので、気軽におしゃれ意識が高くなり、ファッション業界の活性化に貢献できる。
【符号の説明】
【００１０】  Ｉ  ：  指カール布（ネット状または伸縮性のある布材、その他全ての布材を使用します）
ＩＩ  ：  指孔（布全体に布材を切り込んで設けます）
【図１】
2013059596.tif 000003
【図２】
2013059596.tif 000004
(57)【要約】      （修正有）【課題】他人に祈願文の内容を見られず、その上祈願行為そのものも知られたくない、しかし自分自身ではその事の確たる証拠を残し、その物を自分だけのお守りとして保持したいと望む人達の願望を叶え、尚且つ標識類の設置方法等の改善を図る事を目的とする。【解決手段】祈願文内蔵式標識１は片面を六つの区画、標識部ａ６，標識部ｂ７、お守り札部ａ９、お守り札部ｂ１０、祈願文記入部１２、回向文等記入部１３とし、その反対側全面を糊付け部とし、保持用芯板ａ４に巻き付ける。【選択図】図１
2013059595.tif 000002
【特許請求の範囲】
【請求項１】
一枚のシート又は保持用芯板を加えただけの構造物で有り、祈願文記入部を標識部で覆い隠すように密封し、標識部及び祈願文記入部とお守り部及び回向文等記入部が一体として製作され、その標識設置の段階で標識部分とお守り部分をミシン穴線を境に分離して使用されるように製作される祈願文内蔵式標識である。
【発明の詳細な説明】
【技術分野】
【０００１】  本発明は、祈願札、お守り札、参拝記念札及び各種標識類などの夫々独立して使用されている機能を一体に統合し、祈願文を内部に秘匿させた祈願文内蔵式標識に関するものである。
【背景技術】
【０００２】  従来、各種標識類と絵馬や祈願札、お守り札等は夫々別々の用途の為に製作され使用されているが、各固特有の機能を損なわずに有機的に一体として統合し使用されている物は存在しない。
【先行技術文献】
【０００３】
【特許文献１】  特開２００２−８４９９８号公報
【特許文献２】  特開２００３−９０７０１号公報
【発明の概要】
【発明が解決しようとする課題】
【０００４】  従来の祈願札や絵馬等は現状として祈願人の個人情報が守られているとは言い難かった。祈願文の内容と設置行為そのものを他人の目から隠す事は難しかった。その結果その利用の範囲が大きく狭められていた。又祈願札等とは全くかけ離れた機能を要求される各種標識類の持つ問題点の一つは、如何にその設置費用の軽減化を進めるかと言う点である。両者に要求される機能を全く減少させずに、一体の物として有機的に結合させる事により、両者の持つ夫々別個の問題点を一挙に解消しようと図るものである。
本発明は以上の問題点を解決するためになされたものである。
【課題を解決する為の手段】
【０００５】  一枚のシート上に祈願文記入部、お守り部及び標識記入部を一体とした標識として製作し、その標識設置の段階で祈願人が祈願文記入部に文章を記入し、片側の標識記入部の裏面で覆い隠す様にして糊付け密封の後、ミシン穴線を境にお守り部と標識部を分離して所定の場所に標識として設置しようとするものである。
以上の構成よりなる祈願文内蔵式標識。
【発明の効用】
【０００６】    本発明により、祈願文記載内容の完全な秘匿性と、表面各種標識として使用を装う事に依る本来目的行為の偽装が可能と成り、祈願者等の利便性の増大が図られる。又各種標識類に新たな付加価値を加え、祈願者たちの自発的な標識設置参加行為を誘い本来標識設置者の経費節減が可能と成る。
【図面の簡単な説明】
【０００７】
【図１】本発明の展開を示す斜視図
【図２】本発明を示す斜視図
【図３】本発明の斜視図
【図４】本発明の平面図
【図５】本発明の平面図
【発明を実施するための形態】
【０００８】  以下、本発明の実施の形態を説明する。
（イ）「祈願文内蔵式標識（Ｉ型）」（１）は片面を六つの区画、標識部ａ（６），標識部ｂ（７）、お守り札部ａ（９）、お守り札部ｂ（１０）、祈願文記入部（１２）、回向文等記入部（１３）とその反対側は全面糊付け（１８）とし、「図２」の如く保持用芯板ａ（４）に巻き付けるものとする。
（ロ）「祈願文内蔵式標識（ＩＩ型）（２）は一枚のシートに依って作られ、裏表両面夫々四つの区画を有し、祈願文記入部（１２）は標識部ｃ（８）で、又回向文記入部（１３）はお守り札部ｃ（１１）に依って、祈願文等記入の後糊付け密封してのち標識として設置を行う。
本発明は以上の様な構造である。
本発明を使用する時は、祈願文を記入の後しっかりと密閉し、夫々の設置条件に従って（Ｉ型）（１）乃至（ＩＩ型）（２）の何れかを選択し使用する。
【符号の説明】
【０００９】  １  祈願文内蔵式標識（Ｉ型）、２  祈願文内蔵式標識（ＩＩ型）、３  シート、４  保持用芯板ａ，５  保持用芯板ｂ，６  標識部ａ，７  標識部ｂ，８  標識部ｃ，９  お守り札部ａ，１０  お守り札部ｂ、１１  お守り札部ｃ、１２  祈願文記入部、１３  回向文等記入部、１４  下げ紐用穴、１５  山折れ線、１６  谷折れ線、１７  ミシン穴線、１８  糊付け面
【図１】
2013059595.tif 000003
【図２】
2013059595.tif 000004
【図３】
2013059595.tif 000005
【図４】
2013059595.tif 000006
【図５】
2013059595.tif 000007
(57)【要約】      （修正有）【課題】家庭で散髪を行う場合に、頭髪の飛散を防止対策としての場所選びや前準備に手間のかからない散髪器を提供する。【解決手段】頭髪を指２本ではさみ、毛先をもう一方の手で持った散髪器の外刃へ押し当てカットする。該散髪器により刈り取られた頭髪は吸引装置５により外刃兼外気吸入口１を経由して外気と共に収納袋３へ送り込まれ、散髪終了後に袋毎廃棄する。【選択図】図１
2013059600.tif 000002
【特許請求の範囲】
【請求項１】
髪の毛を指ではさみ、目視ではなく指の感触で毛先をもう一方の手で持った本発明の散髪器の外刃へ押し当てカットして行く電気散髪器
【請求項２】
毛先から頭皮へ向け刈り取って行く事で部分カットも手軽にできる
【請求項３】
刈り取った髪は外気と共に内部収納袋へ収納し後で袋ごとすてられる
【発明の詳細な説明】
【技術分野】
【０００１】散髪時、頭髪と外気を一緒に散髪器内部の吸引装置で収納袋へ収納する事で飛散を防ぐ
【背景技術】
【０００２】従来、散髪は布などを体に巻き付け頭髪の付着防止準備に手間が掛かり場所も家の中ではむずかしく庭先が多かった
【発明の開示】
【発明が解決しようとする課題】
【０００３】散髪するには前準備の手間も多く又、家の中ではむずかしく外でする事が多く時間も掛る難点があった。本発明はこの課題を解消する為になされたものである。
【課題を解決する為の手段】
【０００４】頭髪を指２本で挟みその先端を刈り取る。刈り取られた頭髪は吸引装置（５）で外刃の外側より外気と共に収納袋（３）へ送り込み後で袋ごと捨てる。
【発明の効果】
【０００５】（イ）散髪する場所を選ぶことなく、どこでもできる。
（ロ）体に布を巻きつけることなどの前準備の必要なくなる
（ハ）毛先から頭皮へ向け刈るため部分カットができ、時間も大幅に
【実施例１】
【０００６】指２本で頭髪を挟み先端を外刃に押し当て刈り取る
【図面の簡単な説明】
【０００７】
【図１】本発明の断面図
【図２】内刃
【図３】収納袋
【符号の説明】
【０００８】１    外刃兼外気吸入口
２    内刃
３    収納袋（通気性良好）
４    収納袋設置場所のふた
５    外気取り込み用プロペラ
６    排気口
７    モーター
８    内刃とプロペラ駆動軸
９    蓄電池
１０  電気コード
【図１】
2013059600.tif 000003
【図２】
2013059600.tif 000004
【図３】
2013059600.tif 000005
(57)【要約】      （修正有）【課題】使いたい月のカレンダーが並べて使える、メモが取れるホワイトボードなどや伝言板・確認ボードとしても使える、カレンダーの回りに好きなポスター等を並べることもできる、一年間の記録として完全に残せるカレンダーを提供する。【解決手段】印刷したカレンダーや絵画・イラスト・写真・メモ伝言ボード３・確認ボード２の上部と下部に設けた切り込みから出来た連結爪１を、カレンダー下部の連結爪１に他のカレンダーの上部の連結爪１を差し込み、噛み合わせて上下連結する。【選択図】図１
2013059995.tif 000002
【特許請求の範囲】
【請求項１】
カレンダー上部に下向きと、下部に上向きに連結爪（１）として使う切り込みを２個から８個づつ設け、カレンダー下部の連結爪に他のカレンダー上部の連結爪を差し込み、上下連結できるカレンダー及びポスター。
【請求項２】
請求項１のカレンダー及びポスターを表面と裏面を、上下反対に印刷し、上部に設けた連結爪の先をカレンダー本体より少し奥の方に曲げて、下部に設けた連結爪の先をカレンダー本体より少し手前に曲げて、上下連結しやすくしたカレンダー及びポスター。
【請求項３】
請求項１及び請求項２の連結爪（１）を設け、上下連結できる、ホワイトボードの様なメモ・伝言ボード（２）。
【請求項４】
請求項１及び請求項２の連結爪（１）を設け、上下連結できる、よく使う電話番号・品名・寸法・価格・使用方法・注意事項等を書き込める確認ボード（３）。
【発明の詳細な説明】
【技術分野】
【０００１】カレンダー及びポスター
【背景技術】
【０００２】電話通話中、１・２か月先の予定を書き込む時、めくりながらの作業が思う様に出来ない又１・２か月前に書き込んだ物は切り取ってあり、なかなか確認出来ない。
電話通話中、メモが多くなったり訂正等で、思う様にメモが取れない。
電話通話中、知りたい電話番号・品名・寸法・価格・使用方法・注意事項等がわからず、書類を探したり、人に聞いたり、いいかげんな応対になり、後で問題に。
【特許文献１】  特許出願  ２０１０−２４７８８７
【特許文献２】  特許出願  ２０１０−２７５０７５
【特許文献３】  特許出願  ２０１１−０２９１５５
【発明の開示】
【発明が解決しようとする課題】
【０００３】電話通話中、１・２か月先の予定を書き込む時、めくりながらの作業が思う様に出来ない又１・２か月前に書き込んだ物は切り取ってあり、なかなか確認出来ない。
電話通話中、メモが多くなったり訂正等で、思う様にメモが取れない
電話通話中、知りたい電話番号・品名・寸法・価格・使用方法・注意事項等がわからず、書類を探したり、人に聞いたり、いいかげんな応対になり、後で問題に。【０００４】カレンダーの一部に、後でまとめる為のメモ欄や伝言板の様な物がほしい。【０００５】カレンダーの一部に、メモとは別によく使う電話番号・品名・寸法・価格・使用方法・注意事項等が書き込め、確認が簡単に出来ないか。【０００６】カレンダーの回りに、好みの癒される写真・絵画・イラスト・風景等が並べられないか。【０００７】一年間の予定や結果・行事等が完全に残り、管理しやすくならないか。
【課題を解決するための手段】
【０００８】印刷されたカレンダーや絵画・写真・イラスト・メモ伝言ボード・確認ボードに設けた切り込みより作った連結爪を噛み合わせて、上下連結するカレンダー。
使用出来るスペースに合わせて、連結調整出来るカレンダー。
【発明を実施するための形態】
【０００９】使用する月のカレンダーの回りに上下左右に使用出来るスペースに応じて、絵画・写真・イラスト・メモ伝言ボード・確認ボード等を組合せ連結する事で、使いやすく癒されるカレンダー。
【００１０】カレンダーの取り替えは簡単で、使用しない月のカレンダーは使用するカレンダーの下に連結しておき、その上に使用するカレンダーを重ねる事により、邪魔にならず又紛失がまったくなく、一年間の記録が残り管理保管が簡単に出来る。
【発明の効果】
【００１１】電話通話中にカレンダーへ、１・２か月先の予定の書込や、１・２か月前の記録が簡単に確認出来ました。
【００１２】使い方で、１１か月先の予定の書込や、１１か月前の記録が簡単に確認出来ました。
【００１３】電話通話中にホワイトボードの様なメモ伝言ボードがあると、メモが多くなったり訂正等でも、ごちゃごちゃになっても、後で整理してカレンダーに書き込める。
又伝言板としても使えて大変便利です。
【００１４】電話通話中、確認ボードを見ながらだと正確な応対ができて、トラブルがなくなり信頼が生まれてきます。
【００１５】電話通話中でも、それ以外でもカレンダー回りの好みの写真やイラストを見ているだけでも癒されています。
【００１６】一年間の記録が完全に残り、管理保管が簡単に出来ます。
【００１７】事務所や作業場では、出勤・欠勤・早番・遅番・予定日・打ち合せ日・結果報告等に使い易いカレンダーです。
【００１８】家庭では、誕生日・記念日・学校や会社の行事・各種ゴミ出し日に、健康管理に体重の記録・血圧の記録・通院日・薬服用日等色々使える連結カレンダー。
【図面の簡単な説明】
【００１９】
【図１】  連結使用図
【図２】  連結断面図
【符号の説明】
【００２０】（１）    連結爪
（２）    メモ伝言ボード
（３）    確認ボード
【図１】
2013059995.tif 000003
【図２】
2013059995.tif 000004
(57)【要約】【課題】切り餅や丸餅を焼いたときに膨張により変形するが、その膨張によりいびつな変形をすることを低減させる【解決手段】切り餅や丸餅の表面に複数の突き刺し痕を設け、焼いたときの膨張を均一化させ、いびつな変形を低減させる。【選択図】図１
2013059263.tif 000002
【特許請求の範囲】
【請求項１】
餅の表面に複数の突き刺し痕を設けることを特徴とする切り餅・丸餅
【発明の詳細な説明】
【技術分野】
【０００１】
本発明は角型の切り餅又は丸型の丸餅などの餅に関するものである。
【背景技術】
【０００２】
角型の切り餅や丸型の丸餅などの餅は焼いたときにいびつに変形することが多かった。
また、焼いたときに餅の内部が外部に膨れ出し、焼き網を汚すことも多かった。
これを解決するために切り餅の側面等に切り込みを入れた餅の特許が成立している。
しかし側面や上下面の全長に切込みを入れると変形が大きく且つ不均一で、見た目が悪いものが多かった。
【先行技術文献】
【特許文献】
【０００３】
【特許文献１】特開2005-323614
【特許文献２】特開2005-34079
【発明の概要】
【発明が解決しようとする課題】
【０００４】
本発明は上記の欠点を克服し、いびつな変形の度合いを少なくするものである。
【課題を解決するための手段】
【０００５】
従来行われていた切込みを側面などの全長に入れるのではなく、目的の面に突き刺し痕を複数設置するものである。
その突き刺し痕の形状は断面が丸い針を刺したような痕跡でもよいが、十字型又はひし型などでもより良い効果をもたらすことができる。
【発明の効果】
【０００６】
このように不連続の突き刺し痕を設けることにより、全長に設けた切込みに比べて大きく変形することが無く、いびつな変形を抑えることができる。
【図面の簡単な説明】
【０００７】
【図１】図1は本発明の斜視図である。1は切り餅、2は突き刺し痕
【図２】図2は本発明の三面図である。（平面図、正面図、側面図）
【発明を実施するための形態】
【０００８】
本発明の効果を発揮するための具体例として図面を参照して説明する。
突き刺し痕は切り餅の上面、下面、側面のどこに設置してもいびつな変形防止には貢献する。
しかし、その効果が発揮される度合いは餅の性情、形状、寸法に影響される。
たとえば丸餅については上面の一部にのみ限定したほうが良く、側面や底面に多く設置すると焼き上がりの形状が大きくばらつく。
切り餅でも含気率の大きいものや厚みが8ｍｍ以下の薄いものについては上下面のみにしたほうが安定する。
通常の切り餅については側面に10ｍｍ程度のピッチで直径1〜2ｍｍ、深さ2〜3ｍｍ程度の突き刺し痕を設け、更に上下面にもそれよりも粗の状態で設置することにより効果が得られる。ただ、上下面については突き刺し痕ではなく、従来の切り込みでも大差はないように見受けられる。
側面の突き刺し痕は1列よりも2列に設けたほうが安定する。また、突き刺し痕の形状を円形ではなく、ひし型や十文字型などにした場合にはそのピッチを円形の場合よりも大きくする必要がある。
図面は突き刺し痕の形状をひし型にした場合を示している。
【実施例】
【０００９】
図面は実施例の一つであり、突き刺し痕の形状は表面部で高さ0.5ｍｍ、幅4ｍｍであり、深さが3ｍｍとなるように剣先のような刃物を突き刺して設置する。図面ではぴっち10ｍｍで2列に設置している。
【産業上の利用可能性】
【００１０】
この発明に基づいて突き刺し痕を設けた切り餅、丸餅等は焼き上がりの形状が安定するので消費者から見ると焼いた後の餅の取り扱いなどがしやすく、好感を持つと考えられる。
【符号の説明】
【００１１】
1は切り餅、2は突き刺し痕
【図１】
2013059263.tif 000003
【図２】
2013059263.tif 000004
(57)【要約】【課題】交流電力の無い地域や交流電力の不足している地域で交流電力式の天井ファンを使用することは難しい。高温になる地域では天井ファンは必要である。【解決手段】ＣＯ２の発生が無いソーラーパネルで発電した電力を蓄電池に蓄え、直流モータ式の天井ファンは交流電力が無い地域や交流電力が不足している地域にとっては有用な天井ファン装置である。【選択図】図１
2013059242.tif 000002
【特許請求の範囲】
【請求項１】
直流モータで駆動する天井ファンと直流モータを駆動する為の蓄電池と蓄電池を充電する為のソーラーパネルとこれらを制御する制御装置からなる天井ファン装置。
【請求項２】
請求項１の直流モータは１２Ｖから４８Ｖまでの直流モータを使用した天井ファン装置。
【請求項３】
請求項１の蓄電池は、単体蓄電池でも組み合わせ蓄電池でもよく、その電圧は３．７Ｖ以上４８Ｖ以下である蓄電池を使用した天井ファン装置。
【請求項４】
請求項１に記載の蓄電池を充電するソーラーパネルを手廻し発電装置に置き換えた天井ファン装置。
【請求項５】
請求項４の手廻し発電機を手廻し以外の発電機に置き換えた天井ファン装置。
【請求項６】
請求項１の蓄電池を天井ファン装置から切り離し別ケースに納めた天井ファン装置。
【請求項７】
請求項１のソーラーパネルを天井ファン装置から切り離し別ケースに納めた天井ファン装置。
【請求項８】
請求項１の制御装置を天井ファン装置から切り離し別ケースに納めた天井ファン装置。
【請求項９】
請求項１に記載の蓄電池を充電するソーラーパネルを交流電力を直流電力に変換する装置に置き換えた天井ファン装置。
【請求項１０】
請求項１の蓄電池をコンデンサーに置き換えた天井ファン装置。
【請求項１１】
請求項１の天井ファン装置を駆動停止する方式にリモートコントロール方式を設けた天井ファン装置。
【発明の詳細な説明】
【技術分野】
【０００１】本発明は、主として電力の供給がなされてない地域や災害時など、電力の供給なしに天井ファンを提供する事に関する。
【背景技術】
【０００２】天井ファンは比較的エアコンの普及率が低い地域で普及している。熱帯や亜熱帯や温帯地方で普及率がたかい。この地方は日照時間が長く、日照日が多い。電力は供給されているが、慢性的に不足気味である。供給される電力を使用せず自前のソーラーパネルで発電し天井ファンを駆動できるシステムに関する。
【発明の概要】
【発明が解決しようとする課題】
【０００３】現状の天井ファンは交流モータが主として使われている。交流電圧は１００Ｖから２４０Ｖが使われている。
【課題を解決するための手段】
【０００４】かかる課題を解決すべく、本発明では、天井ファンの駆動系を直流モータとした。【０００５】直流モータを駆動する電源として蓄電池を使用し、この蓄電池を充電する装置をソーラーパネルとした。
【発明の効果】
【０００６】交流モータを使用しない天井ファン装置は省エネルギーにもなり、電力の少ない高温な地域の暑さ対策になる。
【図面の簡単な説明】
【０００７】
【図１】本発明に係る天井ファン装置の構成を示すブロック図である。
【産業上の利用可能性】
【０００８】交流電力の削減を行っている地域や電力の不足して地域において、交流電力を使用することなく、天井ファンを使用することができ、充電はＣＯ２の出ないソーラーパネルで行い蓄電する事で夜間も使用できる。
【符号の説明】
【０００９】１００  天井ファン装置
１０１  ソーラーパネル
１０２  蓄電池
１０３  直流モータ
１０４  制御装置
１０５  回転ファン
【図１】
2013059242.tif 000003